(57)【特許請求の範囲】
【請求項１】
扁平断面の竪樋に用いられる竪樋継手であって、
円形状の差し口が一端に形成されていると共に、扁平断面をなす非円形接続部が他端に形成されている上部材と、
円形状の受け口が一端に形成されていると共に、扁平断面をなす非円形接続部が他端に形成されている下部材と、
を備え、
前記差し口と前記受け口とが互いに回動可能に嵌合し、かつ前記差し口と前記受け口との共通軸をなす回転軸が前記上部材および前記下部材のうち少なくとも一方において前記非円形接続部の長尺方向の一端側に偏心していることを特徴とする竪樋継手。
【請求項２】
前記下部材の非円形接続部が竪樋に接続され、
前記上部材の非円形接続部が呼び樋に接続され、
前記差し口が前記上部材において偏心していることを特徴とする請求項１に記載の竪樋継手。
【発明の詳細な説明】
【技術分野】
【０００１】
本発明は、建物の外壁に取り付けられる扁平断面の竪樋に用いられる竪樋継手に関する。
【背景技術】
【０００２】
従来、住宅などには、屋根から流れ落ちる雨水を受ける軒樋と、集水器や呼び樋を介して軒樋に接続され、軒樋に集められた雨水を排水管に導くための竪樋と、を備えた雨樋が設置されている。竪樋を住宅などの外壁に設置するには、竪樋支持具を外壁に固定し、この竪樋支持具に竪樋を支持させている。そして、竪樋と呼び樋との接続には、呼び樋から壁面に向きを変える角々エルボが通常、用いられている。また、この他に、角横エルボ、角ねじりエルボや、さらにターンエルボ、ターンソケットからなる竪樋継手が用いられている（例えば、特許文献１参照）。
【０００３】
図８（ａ）、（ｂ）に示す竪樋継手９は、特許文献１に開示される構成であって、円形状の差し口９ａが一端に形成されると共に非円形接続部が他端に形成されている上部材９１１と、円形状の受け口９ｂが一端に形成されると共に非円形接続部が他端に形成される下部材９２と、を備え、上部材９１の差し口９ａと下部材９２の受け口９ｂとが互いに回動可能に嵌合し、長方形や楕円形などのような非円形断面である竪樋を回動自在に接続する構成となっている。
【先行技術文献】
【特許文献】
【０００４】
【特許文献１】特開平７−２５２９１７号公報
【発明の概要】
【発明が解決しようとする課題】
【０００５】
しかしながら、従来の竪樋継手において、扁平断面の竪樋と呼び樋との向きを合わせて接続するためには、図８（ｂ）に示すように、竪樋９に接続した下部材９２に対して呼び樋の方向に合うように上部材９１を回転軸Ｏ回りに回転させている。このとき、上部材９１の回転軸Ｏが長尺方向の中心に位置しているので、上部材９１の回転位置によっては上部材９１の長尺方向の端部（図８（ａ）、（ｂ）に示す符号９１ａ）が壁面Ｔ側に大きく張り出してしまうため、上部材９１が壁面Ｔに当たらない位置に竪樋９を壁面Ｔから距離をあけて配置させている。そのため、建物の外観を向上させるために竪樋を壁面に近接させて設けることが求められており、その点で改善の余地があった。
【０００６】
本発明は、上述する問題点に鑑みてなされたもので、扁平断面の竪樋を壁面に近接させることができ、建物の外観を向上させることができる竪樋継手を提供することを目的とする。
【課題を解決するための手段】
【０００７】
上記目的を達成するため、本発明に係る竪樋継手は、扁平断面の竪樋に用いられる竪樋継手であって、円形状の差し口が一端に形成されていると共に、扁平断面をなす非円形接続部が他端に形成されている上部材と、円形状の受け口が一端に形成されていると共に、扁平断面をなす非円形接続部が他端に形成されている下部材と、を備え、前記差し口と前記受け口とが互いに回動可能に嵌合し、かつ前記差し口と前記受け口との共通軸をなす回転軸が前記上部材および前記下部材のうち少なくとも一方において前記非円形接続部の長尺方向の一端側に偏心していることを特徴としている。
【０００８】
本発明に係る竪樋継手では、上部材と下部材を相対的に回転させたときに、回転軸方向から見て、回転軸が非円形接続部の長尺方向の一端側に偏心した上部材または下部材が他方の上部材または下部材の非円形接続部から張り出す部分を小さくすることができる。そのため、前記他方の上部材または下部材を扁平断面の竪樋に接続した場合において、竪樋を壁面に近づけて配置することができ、竪樋の壁面からの距離（出寸法）が小さくなるので、一体感のある建物の外観が得られる。
【０００９】
また、本発明に係る竪樋継手は、前記下部材の非円形接続部が竪樋に接続され、前記上部材の非円形接続部が呼び樋に接続され、前記差し口が前記上部材において偏心していることが好ましい。
【００１０】
この場合には、上部材の非円形接続部を呼び樋の接続端の位置に合わせて回転させて向きを決め、竪樋と呼び樋とを竪樋継手によって接続することができる。すなわち、上部材を下部材に対して回転軸回りに回転させたときに、回転軸方向から見て、回転軸が非円形接続部の長尺方向の一端側に偏心した上部材が下部材から壁面側に張り出す部分を小さくすることができ、竪樋の壁面からの出寸法を小さく抑えることが可能となる。
【発明の効果】
【００１１】
本発明の竪樋継手によれば、扁平断面の竪樋や呼び樋を振り施工する際に竪樋継手の壁面からの出寸法を小さくすることで、竪樋を壁面に近接させることができ、建物の外観を向上させることができる。
【図面の簡単な説明】
【００１２】
【図１】本発明の実施の形態による竪樋継手を用いた竪樋の分解斜視図である。
【図２】図１に示す竪樋継手の構成を示す斜視図である。
【図３】竪樋継手の上部材を下部材に対して９０°回転させた状態を示す上面図である。
【図４】竪樋継手の上部材を下部材に対して４５°回転させた状態を示す上面図である。
【図５】呼び樋および竪樋を接続した竪樋継手の縦断面図であって、（ａ）は呼び樋および竪樋のそれぞれの長尺方向を同じ向きに配置した図、（ｂ）は呼び樋および竪樋のそれぞれの長尺方向を直交する方向に向けて配置した図である。
【図６】変形例による竪樋継手の上部材を下部材に対して９０°回転させた状態を示す上面図である。
【図７】図６に示す竪樋継手の上部材を下部材に対して４５°回転させた状態を示す上面図である。
【図８】従来の竪樋継手の構成を示す上面図であって、（ａ）は上部材を下部材に対して９０°回転させた状態を示す図、（ｂ）は上部材を下部材に対して４５°回転させた状態を示す図である。
【発明を実施するための形態】
【００１３】
以下、本発明の実施の形態による竪樋継手について、図面に基づいて説明する。
【００１４】
図１に示すように、本実施の形態による竪樋継手１（図２参照）は、住宅のバルコニー４の底面４ａに設けられた集水器５から略水平方向に向けて延在される呼び樋２と、バルコニー４に連なる住宅の壁面Ｔに沿って取り付けられる竪樋３の上端３ａと、を互いに接続するものである。
【００１５】
呼び樋２は、長方形をなす扁平断面の筒状に形成された筒状体２１と、筒状体２１の長さ方向の両端に設けられるエルボ継手２２（２２Ａ、２２Ｂ）と、を備えている。一方の第１エルボ継手２２Ａは集水器５の下端５ａに接続され、他方の第２エルボ継手２２Ｂは竪樋継手１の上端接続部１１ａに接続されている。両エルボ継手２２Ａ，２２Ｂは、筒状体２１の長さ方向に対して直交する方向に直角に屈曲されている。呼び樋２は、筒状体２１を略水平方向に沿って配置させた状態で、一方の第１エルボ継手２２Ａと他方の第２エルボ継手２２Ｂの接続端２２ａとは互いに上下を逆に向けて配置されている。
ここで、集水器５は、下端に長方形状の嵌合穴を有し、バルコニー４を貫通させた挿通孔に連通するように設けられ、前記嵌合穴に呼び樋２の上向きのエルボ継手（ここでは第１エルボ継手２２Ａ）が嵌合されている。
【００１６】
竪樋３は、長方形をなす扁平断面の筒状に形成され、壁面Ｔに対して所定間隔をあけて配置されている。具体的には、図３および図４に示すように、断面視で竪樋３の長辺を含む面を壁面Ｔに平行になるように配置されている。
【００１７】
竪樋継手１は、図２に示すように、上端接続部１１ａ（非円形接続部）を有する上部材１１と、上部材１１に嵌合穴（受け口１２ｂ）を介して嵌合される下端接続部１２ａ（非円形接続部）を有する下部材１２と、を備えている。図１に示すように、上端接続部１１ａは呼び樋２の第２エルボ継手２２Ａの下端に接続され、下端接続部１２ａは竪樋３の上端３ａに接続されている。
【００１８】
ここで、本実施の形態では、軒樋継手１における受け口１２ｂの横断面の中央を通る軸線を回転軸Ｏとし、以下では回転軸Ｏに沿って上端接続部１１ａ側を上側、下端接続部１２ａ側を下側とする。また、回転軸Ｏに沿う方向を上下方向、回転軸Ｏ方向から見た平面視において、回転軸Ｏ回りに周回する方向を周方向とする。
【００１９】
図５（ａ）及び（ｂ）に示すように、上部材１１は、竪樋３と略同形状の断面視で長方形状の上筒部１１Ａと、上筒部１１Ａの下端縁から下方に向けて縮径するように延びる嵌合偏心筒１１Ｂと、を有している。
上部筒１１Ａの内側には、上端接続部１１ａから呼び樋２の第２エルボ継手２２Ｂの接続端２２ａが挿入されて接続される。
【００２０】
嵌合偏心筒１１Ｂは、上筒部１１Ａの下端縁から下方に向かうに従い漸次縮径する傾斜壁１１ｃと、その傾斜壁１１ｃから下方に延びる円形断面の差し口１１ｂと、を有している。差し口１１ｂの中心軸と回転軸Ｏとは共通軸上に位置している。上部材１１における回転軸Ｏは長方形断面をなす上筒部１１Ａの長尺方向の一端側に偏心している。そのため、傾斜壁１１ｃの周面は一方側に寄った傾斜面を形成している。差し口１１ｂの内径寸法は、上筒部１１Ａの短尺方向の内寸法に一致している。
【００２１】
下部材１２は、竪樋３と略同形状の断面視で長方形状の下筒部１２Ａと、下筒部１２Ａの上端縁から上方に向けて縮径するように延びる嵌合受け筒１２Ｂと、を有している。
下部筒１２Ａの内側には、下端接続部１２ａから竪樋３の上端が嵌合される。
【００２２】
嵌合受け筒１２Ｂは、下筒部１２Ａの上端縁から上方に向かうに従い漸次縮径する傾斜面を形成している。嵌合受け筒１２Ｂの上端には円形の受け口１２ｂが形成されている。受け口１２ｂの中心軸と回転軸Ｏとは共通軸上に位置している。下部材１２における回転軸Ｏは長方形断面をなす下筒部１２Ａの長尺方向および短尺方向のそれぞれの中心に位置している。受け口１２ｂの径寸法は、差し口１１ｂの外径寸法に一致している。
【００２３】
上部材１１の差し口１１ｂは、下部材１２の受け口１２ｂの内側に周方向に回転自在に嵌合されている。そして、上部材１１と下部材１２とが接続された状態で、上部材１１の内側と下部材１２の内側とが連通している。なお、例えば差し口１１ｂの外周面に周方向に沿う突条を設け、この突条を受け口１２ｂに係止させることにより上部材１１の下部材１２に対する抜け方向への移動を規制して抜け防止としてもよい。
このように構成される竪樋継手１は、ＡＥＳ、ＡＢＳ、ポリカーボネート、ポリ塩化ビニルなどの樹脂を用いて押出成形や射出成形により成形されている。
【００２４】
以上説明した竪樋継手によれば、以下の作用効果を奏する。
すなわち、図１に示すように、本実施の形態では、バルコニー４の底面４ａに集水器５を介して設けられた呼び樋２と壁面Ｔに沿って配置される竪樋３とが互いの長さ方向を交差させて配置される場合において、呼び樋２と竪樋３とが竪樋継手１を使用して接続される。
竪樋継手１は、図２に示すように、上部材１１の差し口１１ｂと下部材１２の受け口１２ｂとが回転軸Ｏ回りに回転自在に嵌合しているので、上部材１１の上端接続部１１ａに呼び樋２を接続するとともに、下部材１２の下端接続部１２ａに竪樋３を接続することで、竪樋継手１の上部材１１と下部材１２とを回転させることにより竪樋３を壁面Ｔに固定した状態で呼び樋２の向きを３６０度の範囲で自在に変えることができる。
【００２５】
つまり、呼び樋２と竪樋３とを接続する場合には、上部材１１の上筒部１１Ａを呼び樋２の第２エルボ継手２２Ｂの位置に合わせて回転させて向きを決め、竪樋３と呼び樋２とを竪樋継手１によって接続することができる。そして、本実施の形態の竪樋継手１では、図４に示すように、上部材１１と下部材１２を相対的に回転させたときに、回転軸Ｏ方向から見て、回転軸Ｏが上端接続部１１ａの長尺方向の一端側に偏心した上部材１１が下部材１２の下端接続部１２ａから張り出す部分（図４に示す符号Ｓ）を小さくすることができる。
なお、図４に示す二点鎖線は、竪樋３に接続された竪樋継手１の上部材１１を回転させたときの回転軸Ｏ側の両角部１ａ、１ｂにおける回転軌跡を示している。
【００２６】
上述のように本実施の形態による竪樋継手では、扁平断面の竪樋３や呼び樋２を振り施工する際に竪樋継手１の壁面Ｔからの距離（出寸法）を小さく抑えることで、竪樋３を壁面Ｔに近接させることができ、一体感のある建物の外観が得られ、建物の外観を向上させることができる。
【００２７】
以上、本発明による竪樋継手の実施の形態について説明したが、本発明は上記の実施の形態に限定されるものではなく、その趣旨を逸脱しない範囲で適宜変更可能である。
例えば、上述の本実施の形態では、上部材１１における回転軸Ｏが上端接続部１１ａの長尺方向の一端側に偏心した構成としているが、これに限定されることはない。例えば、図６および図７に示す変形例による竪樋継手１Ａのように、回転軸Ｏが上部材１１および下部材１２の両方において非円形接続部をなす上端接続部１１ａおよび下端接続部１２ａの長尺方向の一端側に偏心している構成であってもよい。
また、下部材１２における回転軸Ｏが下端接続部１１ａの長尺方向の一端側に偏心した構成とすることも可能である。
【００２８】
さらに、本実施の形態の竪樋継手１において、上部材１１と下部材１２を上下を逆に使用してもかまわない。例えば水漏れを防止するゴム輪を回転部分（差し口１１ｂ、受け口１２ｂ）に用いて上下を逆に使用することを可能にし、呼び樋２の場合だけではなく這い樋等の場合にも使用してもよい。
【００２９】
さらにまた、本実施の形態では、上部材１１の上端接続部１１ａと、下部材１２の下端接続部１２ａとの形状が同じ長方形となっているが、上端接続部１１ａと下端接続部１２ａが異なる形状であってもよい。
例えば上端接続部１１ａの断面が下端接続部１２ａよりも小さい断面であってもよいし、下端接続部１２ａが長方形状で上端接続部１１ａが楕円形状であってもかまわない。このように、上端接続部１１ａおよび下端接続部１２ａは、扁平断面で非円形断面であれば良いのであって、上述したような楕円形、多角形などの断面形状に設定することも可能である。
【００３０】
また、竪樋継手１の差し口１１ａと受け口１２ａの径寸法について本実施の形態に限らず適宜変更することが可能である。つまり、本実施の形態では、下部材１２の受け口１２ａが下筒部１２Ａの短尺方向の長さ寸法に一致した径寸法となっているが、この径寸法よりも小さい寸法であっても大きい寸法であってもかまわない。
【００３１】
さらに、回転軸Ｏの偏心位置は、上端接続部１１ａおよび下端接続部１２ａの長尺方向の一端側に寄ってずれていればよく、適宜設定することができる。
【００３２】
その他、本発明の趣旨を逸脱しない範囲で、上記した実施の形態における構成要素を周知の構成要素に置き換えることは適宜可能である。
【符号の説明】
【００３３】
１、１Ａ  竪樋継手
２  呼び樋
３  竪樋
４  バルコニー
１１  上部材
１１Ａ  上筒部
１１Ｂ  嵌合偏心筒
１１ａ  上端接続部（非円形接続部）
１１ｂ  差し口
１１ｃ  傾斜壁
１２  下部材
１２Ａ  下筒部
１２Ｂ  嵌合受け筒
１２ａ  下端接続部（非円形接続部）
１２ｂ  受け口
２２Ｂ  第２エルボ継手（接続端）
Ｏ  回転軸
Ｔ  壁面
【図１】
0006434811.tif 000002
【図２】
0006434811.tif 000003
【図３】
0006434811.tif 000004
【図４】
0006434811.tif 000005
【図５】
0006434811.tif 000006
【図６】
0006434811.tif 000007
【図７】
0006434811.tif 000008
【図８】
0006434811.tif 000009